(57)【要約】【課題】電気機器の制御回路が同電気機器に内蔵された非接触充電式電池パックの二次電池の充電状態にかかる情報を把握することのできる非接触充電式の電気機器およびその充電システムを提供する。【解決手段】電池パック３３は、１次側コイル１１と対向するように配置されることでその１次側コイル１１の交番磁束により誘導起電力を発生する２次側コイル４０と、この２次側コイル４０の誘導起電力により充電される二次電池３６とを備え、携帯電話１に取り付けられることによりその電源となっている。通知部として、電池パック３３には、二次電池３６の充電状態にかかる情報を送信する送信端子３７Ｂが設けられ、携帯電話１には送信端子３７Ｂの二次電池３６の充電状態にかかる情報を受信する受信端子３８Ｂが設けられている。【選択図】図３
2012070566.tif 000002
【特許請求の範囲】
【請求項１】
１次側コイルと対向するように配置されることでその１次側コイルの交番磁束により誘導起電力を発生する２次側コイルと、この２次側コイルの誘導起電力により充電される二次電池とを備える非接触充電式電池パックが着脱可能に取り付けられる非接触充電式の電気機器において、
前記二次電池の充電状態にかかる情報を当該電気機器に通知する通知部を備える
ことを特徴とする非接触充電式の電気機器。
【請求項２】
前記充電状態にかかる情報として前記二次電池の充電が完了した状態である旨の情報を含む
請求項１に記載の非接触充電式の電気機器。
【請求項３】
前記充電状態にかかる情報として前記二次電池の充電度合を示す情報を含む
請求項１または２に記載の非接触充電式の電気機器。
【請求項４】
前記通知部は、前記非接触充電式電池パックに設けられるとともに前記充電状態にかかる情報を電気信号して送信する第１の端子と、前記電気機器に設けられるとともに前記第１の端子の電気信号を受信する第２の端子を含む
請求項１〜３のいずれか一項に記載の非接触充電式の電気機器。
【請求項５】
前記通知部は、前記第１の端子および前記第２の端子として前記２次側コイルからの充電電流を前記電気機器に経由するための一対の端子をそれぞれ含む
請求項４に記載の非接触充電式の電気機器。
【請求項６】
請求項１〜３のいずれか一項に記載の非接触充電式の電気機器において、
前記通知部は、前記非接触充電式電池パックに設けられるとともに前記充電状態にかかる情報を光信号として送信する発光素子と、前記電気機器に設けられるとともに前記発光素子の光信号を受信する受光素子とを含む
ことを特徴とする非接触充電式の電気機器。
【請求項７】
請求項１〜３のいずれか一項に記載の非接触充電式の電気機器において、
前記通知部は、前記非接触充電式電池パックに設けられるとともに前記二次電池の充電状態にかかる情報を含む交番磁束を発生する送信コイルと、前記電気機器に設けられるとともに前記送信コイルの交番磁束により発生する誘導起電力に基づいて前記充電状態にかかる情報を受信する受信コイルとを含む
ことを特徴とする非接触充電式の電気機器。
【請求項８】
前記送信コイルは前記２次側コイルである
請求項７に記載の非接触充電式の電気機器。
【請求項９】
非接触充電式電池パックを備える電気機器と、前記非接触充電式電池パックに内蔵された二次電池を充電する充電装置とを含み、前記充電装置に内蔵された１次側コイルに発生する交番磁束により前記非接触充電式電池パックに内蔵された２次側コイルに誘導起電力が発生することにより前記二次電池が非接触充電される非接触充電式の電気機器の充電システムにおいて、
前記２次側コイルは、前記二次電池の充電状態にかかる情報を含む交番磁束を発生し、
前記１次側コイルは、前記２次側コイルの交番磁束により発生する誘導起電力に基づいて前記充電状態にかかる情報を受信し、
前記充電装置には、前記充電状態にかかる情報を含む交番磁束を発生する送信コイルを含み、
前記電気機器には、前記送信コイルに生じる前記充電状態にかかる情報を含む交番磁束により発生する誘導起電力に基づいて前記充電状態を受信する受信コイルが設けられる
ことを特徴とする非接触充電式の電気機器の充電システム。
【請求項１０】
前記送信コイルは、前記１次側コイルである
請求項９に記載の非接触充電式の電気機器の充電システム。
【発明の詳細な説明】
【技術分野】
【０００１】
本発明は、１次側コイルと対向するように配置されることでその１次側コイルの交番磁束により誘導起電力を発生する２次側コイルと、この２次側コイルの誘導起電力により充電される二次電池とを備える非接触充電式電池パックが着脱可能に取り付けられる非接触充電式の電気機器およびその充電システムに関する。
【背景技術】
【０００２】
二次電池の充電方法として、接触充電式のタイプと非接触充電式のタイプとが挙げられる。接触充電式のタイプでは、交流電源の交流電流を整流して直流電流に変換するアダプタが電気機器の端子に接続されることにより、電気機器に内蔵された電池パックを充電するようにしている。非接触充電式のタイプは、充電装置に設けられた１次側コイルの交番磁束により電気機器に内蔵された電池パックに設けられた２次側コイルに誘導起電力が生じて、この誘導起電力を二次電池に充電するようにしている（特許文献１参照）。
【０００３】
接触充電式のタイプでは、その充電効率は高いものの、その端子に埃が付着したり、錆が生じたりするとその充電効率が大きく低下するという欠点がある。一方、非接触充電式のタイプは、例えば漏れ磁束による損失が発生するため、接触充電式のタイプと比較するとその充電効率は通常低くなる。しかしながら、非接触充電式のタイプでは、外部に接触端子が露出していない。このため、例えば埃の多い環境や水分の付着による錆の発生が生じやすい環境であっても、上述したような接触充電式のタイプにみられる外部端子の埃の付着や錆の発生に起因して充電効率が大きく低下するといった不都合は発生しない。
【０００４】
例えば、電気機器の一例としての携帯電話においてその充電方法を接触充電式のタイプと非接触充電式のタイプとに切替可能であれば、使用者のその使用環境に応じてこれらタイプを選択することができ、その利便性が向上することとなる。
【０００５】
図８を参照して、接触充電式のタイプの充電に適用される電気機器１００の構成について説明する。
電気機器１００は、交流電源ＡＣからアダプタ１１０を介して直流電流が供給される充電制御回路１２０と、二次電池１３１を含む電池パック１３０と、電気機器１００を駆動制御する制御回路１４０とにより構成されている。二次電池１３１は、制御回路１４０に電力を供給する。充電制御回路１２０は、二次電池１３１の電流および電圧を検出するとともにその検出した電流値および電圧値に基づいて二次電池１３１に供給する電流および電圧を制御している。また、充電制御回路１２０は、二次電池１３１の充電状態にかかる情報、例えば二次電池１３１の充電が完了した状態である旨の情報、および二次電池１３１の充電が完了していない状態である旨を示す情報を制御回路１４０に通知する。
【先行技術文献】
【特許文献】
【０００６】
【特許文献１】特開２００６−１１５５６２号公報
【発明の概要】
【発明が解決しようとする課題】
【０００７】
ところで、図８に示す従来の接触充電式のタイプの電池パック１３０を非接触充電式のタイプの電池パックに切り替えるときには、以下のような問題が生じる。
すなわち、接触充電式のタイプの電池パックを用いた場合にあっては、その二次電池の充電状態についてこれを電気機器によって把握することができる。しかし、非接触充電式のタイプの電池パックには充電制御回路が内蔵され、これにより二次電池の電流および電圧の制御を電池パック内にて行うようにしているため、電気機器は、二次電池の充電電流や電圧といった二次電池の充電状態を把握することができない。
【０００８】
本発明はこのような実情に鑑みてなされたものであり、その目的は、電気機器の制御回路が同電気機器に内蔵された非接触充電式電池パックの二次電池の充電状態にかかる情報を把握することのできる非接触充電式の電気機器およびその充電システムを提供することにある。
【課題を解決するための手段】
【０００９】
本発明の非接触充電式の電気機器は、１次側コイルと対向するように配置されることでその１次側コイルの交番磁束により誘導起電力を発生する２次側コイルと、この２次側コイルの誘導起電力により充電される二次電池とを備える非接触充電式電池パックが着脱可能に取り付けられ、二次電池の充電状態にかかる情報を当該電気機器に通知する通知部を備えることを特徴とする。
【００１０】
この非接触充電式の電気機器は、充電状態にかかる情報として二次電池の充電が完了した状態である旨の情報を含むことが好ましい。
また、この非接触充電式の電気機器は、充電状態にかかる情報として二次電池の充電度合を示す情報を含むことが好ましい。
【００１１】
ここで、非接触充電式電池パックに設けられるとともに充電状態にかかる情報を電気信号して送信する第１の端子と、電気機器に設けられるとともに第１の端子の電気信号を受信する第２の端子を含むものとして通知部を具現化することもできる。
【００１２】
さらに、第１の端子および第２の端子として２次側コイルからの充電電流を電気機器に経由するための一対の端子をそれぞれ含むものとして通知部を具現化することもできる。
また、非接触充電式電池パックに設けられるとともに充電状態にかかる情報を光信号として送信する発光素子と、電気機器に設けられるとともに発光素子の光信号を受信する受光素子とを含むものとして通知部を具現化することもできる。
【００１３】
また、非接触充電式電池パックに設けられるとともに二次電池の充電状態にかかる情報を含む交番磁束を発生する送信コイルと、電気機器に設けられるとともに送信コイルの交番磁束により発生する誘導起電力に基づいて充電状態にかかる情報を受信する受信コイルとを含むものとして通知部を具現化することもできる。ここで、送信コイルは２次側コイルであることが好ましい。
【００１４】
本発明の非接触充電式の電気機器の充電システムは、非接触充電式電池パックを備える電気機器と、非接触充電式電池パックに内蔵された二次電池を充電する充電装置とを含み、充電装置に内蔵された１次側コイルに発生する交番磁束により非接触充電式電池パックに内蔵された２次側コイルに誘導起電力が発生することにより二次電池が非接触充電され、２次側コイルは、二次電池の充電状態にかかる情報を含む交番磁束を発生し、１次側コイルは、２次側コイルの交番磁束により発生する誘導起電力に基づいて充電状態にかかる情報を受信し、充電装置には、充電状態にかかる情報を含む交番磁束を発生する送信コイルを含み、電気機器には、送信コイルに生じる充電状態にかかる情報を含む交番磁束により発生する誘導起電力に基づいて充電状態を受信する受信コイルが設けられることを特徴とする。ここで、送信コイルは、１次側コイルであることが好ましい。
【発明の効果】
【００１５】
本発明の非接触充電式の電気機器およびその充電システムによれば、電気機器の制御回路が同電気機器に内蔵された非接触充電式電池パックの二次電池の充電状態にかかる情報を把握することができる。
【図面の簡単な説明】
【００１６】
【図１】本発明を携帯電話として具体化した第１実施形態について、携帯電話およびその非接触充電装置の断面構造を示す断面図。
【図２】同携帯電話とこれに内蔵された非接触充電式電池パックとの分解斜視構造を示す斜視図。
【図３】同携帯電話および非接触充電装置の回路構成を示すブロック図。
【図４】本発明にかかる携帯電話の第２実施形態について、その携帯電話および非接触充電装置の回路構成を示すブロック図。
【図５】本発明にかかる携帯電話の第３実施形態について、その携帯電話および非接触充電装置の回路構成を示すブロック図。
【図６】本発明にかかる携帯電話の第４実施形態について、その携帯電話および非接触充電装置の回路構成を示すブロック図。
【図７】本発明にかかる携帯電話の第５実施形態について、その携帯電話および非接触充電装置の回路構成を示すブロック図。
【図８】接触充電式のタイプの電気機器の回路構成を示す回路図。
【発明を実施するための形態】
【００１７】
（第１実施形態）
図１〜図３を参照して、本発明の第１実施形態について説明する。
図１は、非接触充電式電池パック（以下、「電池パック３３」）が内蔵された携帯電話１と、その電池パック３３の二次電池３６を充電するための充電装置２の各断面構造をそれぞれ示している。
【００１８】
樹脂材料等、非磁性体からなる携帯電話１のハウジング３０には、各種情報を表示する表示部３１と、携帯電話１を操作する操作部３２とが設けられている。携帯電話１の電源となる電池パック３３は、このハウジング３０に着脱可能に収納されている。
【００１９】
電池パック３３は、２次側コイル４０を内蔵する非接触充電用モジュール３５と、同非接触充電用モジュール３５に電気的に接続される二次電池３６と、これらを収納するケース３４とによって構成されている。また、電池パック３３には、携帯電話１の制御回路６３（図３参照）に電力を供給するとともに電気信号を送信する送電部３７（図２参照）が設けられている。なお、携帯電話１は、非接触充電式の電気機器に相当する。
【００２０】
樹脂材料等、非磁性体からなる充電装置２のハウジング１０には、１次側コイル１１および回路基板１２が設けられている。１次側コイル１１は、導電線を環状に巻回してなる巻線体１４と、これを収容する磁性体からなるヨーク１３とにより構成されている。
【００２１】
図２に示すように、電池パック３３のケース３４は有底角筒状をなし、その内部には非接触充電用モジュール３５および二次電池３６がそれぞれ収納されている。このケース３４の側壁３４Ａには、非接触充電用モジュール３５および二次電池３６に電気的に接続される送電部３７が設けられている。また、非接触充電用モジュール３５は、このようにケース３４に収納された後、図示しないビスによりケース３４に固定されている。
【００２２】
非接触充電用モジュール３５には、２次側コイル４０と、整流回路５１および充電制御回路５２（図３参照）が形成された回路基板４１とが設けられている。またこの回路基板４１は、二次電池３６と電気的に接続されている。
【００２３】
２次側コイル４０は、平板形状の磁性シート４２と、導電線を環状に巻回してなる巻線体４３とによって構成されている。この巻線体４３は、磁性シート４２の下面、すなわちケース３４の底面側の面に取り付けられ、その各端部４３Ａ，４３Ｂが回路基板４１に電気的に接続されている。
【００２４】
送電部３７は、二次電池３６と電気的に接続されるとともに携帯電話１に電力を供給する２つの送電端子３７Ａと、回路基板４１と電気的に接続されるとともに二次電池３６の充電状態を通信する送信端子３７Ｂとの３個の板状の端子により構成されている。
【００２５】
ハウジング３０には、電池パック３３を収納するための収納凹部３０Ａが設けられている。この収納凹部３０Ａには、電池パック３３が収納凹部３０Ａに収納されたときに送電部３７と電気的に接続される受電部３８が設けられている。この受電部３８は、二次電池３６の電力が供給される２つの受電端子３８Ａと、二次電池３６の充電状態を受信する受信端子３８Ｂとの３本のピン形状の端子により構成されている。
【００２６】
電池パック３３が収納凹部３０Ａに収納されたとき、送電部３７と受電部３８とが接触して電池パック３３から携帯電話１の制御回路６３に二次電池３６の電力や二次電池３６の充電状態にかかる情報が送信される。
【００２７】
また、電池パック３３は、交流電源の交流電流を直流電流に変換するアダプタに設けられた端子と携帯電話に設けられた端子とが接触することにより、両端子を介して二次電池に供給する接触充電式のタイプの携帯電話にも取り付けることができる。この場合、この携帯電話には、本実施形態の携帯電話１と同様に受電部３８が設けられている。そして、電池パック３３の送電部３７が携帯電話の受電部３８に電気的に接続することにより、電池パック３３から携帯電話に二次電池３６の電力の供給や二次電池３６の充電状態にかかる情報を送信するようになる。すなわち、電池パック３３は、接触充電式のタイプの携帯電話および非接触充電式のタイプの携帯電話の両方に取付可能であり、使用者は、携帯電話においてその充電方法を接触充電式のタイプと非接触充電式のタイプとに切替可能となる。このため、使用者のその使用環境に応じてこれらタイプを選択することができる。
【００２８】
図３を参照して、携帯電話１および充電装置２の回路構成について説明する。
充電装置２には、大きくは、交流電源ＡＣに接続される電源回路２１と、同電源回路２１および１次側コイル１１がそれぞれ接続される電力伝送回路２２により構成される１次側回路２０が設けられている。
【００２９】
携帯電話１には、電池パック３３内に設けられた２次側コイル４０、整流回路５１および充電制御回路５２により構成される２次側回路５０および二次電池３６と、二次電池３６の電力が供給されることにより駆動される制御回路６３とにより構成されている。制御回路６３は、二次電池３６と送電端子３７Ａおよび受電端子３８Ａにより電気的に接続されるとともに、充電制御回路５２と送信端子３７Ｂおよび受信端子３８Ｂにより電気的に接続されている。なお、送信端子３７Ｂおよび受信端子３８Ｂは「通知部」として機能する。そして、送信端子３７Ｂは「第１の端子」に相当し、受信端子３８Ｂは「第２の端子」に相当する。
【００３０】
また、携帯電話１には、二次電池３６の充電状態にかかる情報を表示する発光ダイオードを備える表示部６４が設けられている。ここで、「二次電池３６の充電状態にかかる情報」とは、例えば、二次電池３６の充電が完了した状態である旨の情報、二次電池３６の充電が完了していない状態である旨の情報、二次電池３６の充電度合にかかる情報が挙げられる。
【００３１】
電源回路２１では、交流電源ＡＣの交流電流が整流回路２３によって直流電流に整流され、その整流された直流電流が発振回路２４を通じて所定周波数の交流電流に変換された後、電力伝送回路２２に供給される。電力伝送回路２２は、１次側コイル１１に対する交流電流の供給態様を二次電池３６の充電状態に応じて制御している。
【００３２】
２次側回路５０では、２次側コイル４０の交流電流が整流回路５１によって直流電流に整流され、その整流された直流電流が充電制御回路５２を通じて、二次電池３６に供給される。
【００３３】
充電制御回路５２は、二次電池３６の充電状態を検知するとともに、その検知結果を二次電池３６の充電状態にかかる情報として、２次側コイル４０および１次側コイル１１の間の電磁誘導により電力伝送回路２２に送信する。すなわち、充電制御回路５２は、二次電池３６の充電が完了した状態である旨を検知したとき、充電停止信号を電力伝送回路２２に送信する。一方、二次電池３６の充電が完了していない状態である旨を検知したとき、充電許可信号を電力伝送回路２２に送信する。
【００３４】
充電制御回路５２は、発振回路５３と変調部５４とを含めて構成されている。発振回路５３は、充電許可信号および充電停止信号を互いに異なる周波数の交流電流としてそれぞれ生成する。変調部５４は、発振回路５３において生成された交流電流に負荷変調処理を施す。負荷変調処理は、充電許可信号および充電停止信号に応じて負荷（内部の抵抗値）を変化させることにより、２次側コイル４０の誘起電圧を変化させる。充電制御回路５２は、低負荷状態と高負荷状態との間で負荷状態を切り替え可能である。具体的には、充電許可信号のデータ「０」を送信するときには低負荷状態とし、充電許可信号のデータ「１」を送信するときには高負荷状態とする。また、充電停止信号のデータ「０」を送信するときには高負荷状態とし、充電停止信号のデータ「１」を送信するときには低負荷状態とする。このとき、低負荷状態では電圧波形の振幅が相対的に小さく、高負荷状態では電圧波形の振幅が相対的に大きくなる。
【００３５】
制御回路６３は、送電端子３７Ａと受電端子３８Ａとの電気的接続により二次電池３６の電力が供給される。一方、制御回路６３は、送信端子３７Ｂと受信端子３８Ｂとの電気的接続により充電制御回路５２が検出した充電許可信号および充電停止信号をデジタル信号である電気信号として受信する。また、制御回路６３は、充電許可信号および充電停止信号に基づいた制御信号を表示部６４に送信する。
【００３６】
表示部６４は、制御回路６３に電気的に接続されている。制御回路６３は、充電許可信号に基づいて、発光ダイオードに電力を供給することにより発光ダイオードを点灯させる。一方、制御回路６３は、充電停止信号に基づいて、発光ダイオードに供給している電力を停止することにより発光ダイオードを消灯させる。
【００３７】
充電装置２による携帯電話１の充電動作について説明する。
携帯電話１を充電するとき、携帯電話１をハウジング１０（図１参照）に載置する。これにより、１次側コイル１１と２次側コイル４０とが近接して、１次側コイル１１と２次側コイル４０との間の電磁誘導により電力の出入力や電気信号の送受信が可能な状態となる。
【００３８】
二次電池３６が充電可能状態であるとき、充電制御回路５２は充電許可信号を電力伝送回路２２に送信する。ここで、電力伝送回路２２は充電許可信号に基づいて１次側コイル１１に交流電流を供給する。これにより、１次側コイル１１には交番磁束が発生するとともに、その交番磁束により２次側コイル４０には誘導起電力が発生する。すなわち、２次側コイル４０には、１次側コイル１１に供給された所定周波数の交流電流に対応した交流電流（誘導電流）が生じるようになる。この誘導電流は整流回路５１および充電制御回路５２を介して直流電流として二次電池３６に供給される。すなわち、二次電池３６が充電される。
【００３９】
また、充電制御回路５２は、送信端子３７Ｂおよび受信端子３８Ｂを介して充電許可信号を制御回路６３にも送信する。制御回路６３は、この充電許可信号に基づいて表示部６４の発光ダイオードを点灯させて二次電池３６が充電中である旨を使用者等、外部に報知する。
【００４０】
一方、二次電池３６が充電完了状態となるとき、充電制御回路５２は充電停止信号を電力伝送回路２２に送信する。そして、電力伝送回路２２は充電停止信号に基づいて１次側コイル１１に交流電流の供給を停止するため、１次側コイル１１と２次側コイル４０との間に電磁誘導が生じない。その結果、二次電池３６に電力が供給されなくなる。すなわち、二次電池３６の充電が停止される。
【００４１】
また、充電制御回路５２は充電停止信号を送電端子３７Ａおよび受信端子３８Ｂを介して制御回路６３にも送信する。制御回路６３は、この充電停止信号に基づいて表示部６４の発光ダイオードを消灯させて充電完了状態である旨を使用者等、外部に報知する。
【００４２】
本実施形態によれば、以下の効果を奏することができる。
（１）本実施形態では、電池パック３３には、二次電池３６の電力を制御回路６３に供給するための送電端子３７Ａとは別に、二次電池３６の充電状態にかかる情報を含む電気信号を制御回路６３に通知するための送信端子３７Ｂが設けられている。また、携帯電話１には、送信端子３７Ｂの二次電池３６の充電状態にかかる情報を含む電気信号を受信する受信端子３８Ｂが設けられている。したがって、携帯電話１の受信端子３８Ｂと送信端子３７Ｂとが電気的に接続されることにより、携帯電話１においては、二次電池３６の充電状態を把握することができる。このため、携帯電話１は、二次電池３６の充電状態に基づいて表示部６４により発光ダイオードを点灯および消灯させて使用者等、外部に二次電池３６の充電状態にかかる情報を報知することができる。
【００４３】
（第２実施形態）
図４を参照して、本発明の第２実施形態について説明する。本実施形態では、第１実施形態と比較して異なる部分について詳細に説明するとともに、同一構成には同一符号を付してその説明を省略する。
【００４４】
第１実施形態では、電池パック３３の送電部３７の送信端子３７Ｂが携帯電話１の受電部３８の受信端子３８Ｂに電気的に接続することにより二次電池３６の充電状態を制御回路６３に通信する構成である。これに対して、本実施形態は、携帯電話１に検出回路６０を設けることにより、２次側コイル４０との間で二次電池３６の充電状態を制御回路６３に通信する。
【００４５】
検出回路６０は、検出コイル６１と復調部６２とを含めて構成されている。この検出回路６０は、制御回路６３と電気的に接続されている。
検出コイル６１は、導電線を環状に巻き回されることにより形成されている。電池パック３３が取り付けられた状態において、２次側コイル４０に交番磁束が生じたとき、この磁束の作用により検出コイル６１に誘導電流が生じる。これにより、検出コイル６１と２次側コイル４０との間で電気信号の送受信が行われる。具体的には、検出コイル６１は、２次側コイル４０に送信された負荷変調処理が施された充電許可信号および充電停止信号を受信する。
【００４６】
復調部６２は、検出コイル６１が受信した負荷変調処理が施された充電許可信号および充電停止信号を復調して、デジタル信号に変換する。このデジタル信号は、制御回路６３に送信される。制御回路６３は、これら充電許可信号および充電停止信号に基づいて表示部６４の発光ダイオードの点灯および消灯の切り替えを制御する。なお、表示部６４の点灯および消灯の切替態様は、第１実施形態と同様である。また、２次側コイル４０と検出コイル６１とは、「通知部」として機能する。
【００４７】
本実施形態によれば、以下の効果を奏することができる。
（１）本実施形態では、電池パック３３の２次側コイル４０と携帯電話１の検出コイル６１との間の電磁誘導により、電池パック３３は、二次電池３６の充電状態を携帯電話１に通知する。したがって、携帯電話１は、二次電池３６の充電状態を把握することができる。このため、携帯電話１においては、二次電池３６の充電状態に基づいて表示部６４により発光ダイオードを点灯および消灯させて使用者等、外部に二次電池３６の充電状態にかかる情報を報知することができる。
【００４８】
（２）電池パック３３の送信端子３７Ｂおよび携帯電話１の受信端子３８Ｂを接触させて二次電池３６の充電状態にかかる情報を伝送する構成にあっては、それら端子３７Ｂ，３８Ｂが確実に接触するようにそれらの位置関係を正確に設定する必要がある。これに対して、本実施形態では、２次側コイル４０と携帯電話１の検出コイル６１とを用いた非接触伝送方式を採用して二次電池３６の充電状態にかかる情報を携帯電話１側に伝送するようにしている。このため、携帯電話１の検出コイル６１を高い自由度をもって配設することができる。
【００４９】
（３）また、２次側コイル４０が二次電池３６の充電状態にかかる情報を送信するためのコイルを兼ねる構成である。このため、二次電池３６の充電状態にかかる情報を送信するための送信コイルを別途設けるようにした場合と比較して、電池パック３３の構成を簡略化することができる。
【００５０】
（４）例えば電池パック３３および携帯電話１の外部に露出する各端子を通じて二次電池３６の充電状態にかかる情報を送信する構成では、その端子に埃が付着したり、錆が生じたりするとその充電効率が大きく低下するおそれがある。
【００５１】
その点、本実施形態では、電池パック３３の２次側コイル４０と携帯電話１の検出コイル６１との間で二次電池３６の充電状態の通信を行うため、電池パック３３および携帯電話１には、上記通信を行うための手段がその外部に露出しない。したがって、上記問題が生じることを回避することができる。
【００５２】
（第３実施形態）
図５を参照して、本発明の第３実施形態について説明する。本実施形態では、第２実施形態と比較して異なる部分について詳細に説明するとともに、同一構成には同一符号を付してその説明を省略する。
【００５３】
第２実施形態では、充電制御回路５２において生成された充電許可信号および充電停止信号は２次側コイル４０を介して検出回路６０に送信されていた。これに対して、本実施形態では、１次側回路２０において、検出回路６０に充電許可信号および充電停止信号を送信するための伝送回路７０が設けられている。
【００５４】
電力伝送回路２２は、伝送回路７０と電気的に接続されている。電力伝送回路２２は、充電制御回路５２から２次側コイル４０および１次側コイル１１を介して負荷変調処理が施された充電許可信号および充電停止信号を受信する。そして、電力伝送回路２２は、同回路２２内に設けられた復調部（不図示）により充電許可信号および充電停止信号をデジタル信号にそれぞれ変換するとともに、このデジタル信号としての充電許可信号および充電停止信号を伝送回路７０に送信する。
【００５５】
伝送回路７０は、充電許可信号および充電停止信号に負荷変調処理を施す変調部７１と、負荷変調処理が施された充電許可信号および充電停止信号を検出コイル６１に送信する伝送コイル７２とを含む。電力伝送回路２２から送信された充電許可信号および充電停止信号を伝送回路７０が受信したとき、変調部７１により充電許可信号および充電停止信号に負荷変調処理を施す。そして、負荷変調処理を施された充電許可信号および充電停止信号は、伝送コイル７２と検出コイル６１との間の電磁誘導により伝送コイル７２から検出コイル６１に送信される。これにより、伝送回路７０と検出回路６０との間で充電許可信号および充電停止信号が送受信される。なお、伝送コイル７２および検出コイル６１は、「通知部」として機能する。
【００５６】
本実施形態によれば、以下の効果を奏することができる。
（１）本実施形態では、充電装置２の１次側コイル１１と携帯電話１の検出コイル６１との間の電磁誘導により、充電装置２は、二次電池３６の充電状態を携帯電話１に通知する。したがって、携帯電話１は、二次電池３６の充電状態を把握することができる。このため、携帯電話１においては、二次電池３６の充電状態に基づいて表示部６４により発光ダイオードを点灯および消灯させて使用者等、外部に二次電池３６の充電状態を報知することができる。
【００５７】
また、電池パック３３および携帯電話１は、二次電池３６の充電状態にかかる情報を非接触伝送方式で行い、かつ二次電池３６の充電状態にかかる情報を携帯電話１に通知するための手段をその外部に露出するように設けることがない。したがって、第２実施形態の効果（２）および（４）に準じた効果を奏することができる。
【００５８】
（２）本実施形態では、二次電池３６の充電状態にかかる情報を伝送回路７０と検出回路６０との専用の回路にて行っている。したがって、二次電池３６の充電状態にかかる情報以外の情報が重畳することがないため、伝送回路７０と検出回路６０との間のノイズを少なくすることができる。
【００５９】
（第４実施形態）
図６を参照して、本発明の第４実施形態について説明する。本実施形態では、第１実施形態と比較して異なる部分について詳細に説明するとともに、同一構成には同一符号を付してその説明を省略する。
【００６０】
第１実施形態では、電池パック３３の送電部３７の送信端子３７Ｂと携帯電話１の受電部３８の受信端子３８Ｂとの電気的接続により二次電池３６の充電状態を制御回路６３に通信する構成である。これに対して、本実施形態は、電池パック３３と制御回路６３との通信を光信号の送受信により行う構成である。
【００６１】
電池パック３３の送電部３７には、送信端子３７Ｂに代えて発光素子８１が設けられている。この発光素子８１は、デジタル信号としての充電許可信号および充電停止信号に基づいて発光することにより充電許可信号および充電停止信号としての光信号を送信する。
【００６２】
充電装置２には、発光素子８１の光を受光する受光素子８２が設けられている。受光素子８２は、制御回路６３に電気的に接続されている。受光素子８２は、上記光信号を受信することにより充電許可信号および充電停止信号を制御回路６３に送信する。なお、発光素子８１および受光素子８２は、「通知部」として機能する。
【００６３】
本実施形態によれば、以下の効果を奏することができる。
（１）本実施形態では、電池パック３３の発光素子８１と携帯電話１の受光素子８２との間の光信号の送受信により、電池パック３３は二次電池３６の充電状態を携帯電話１に通知する。したがって、携帯電話１は二次電池３６の充電状態を把握することができる。このため、携帯電話１においては、二次電池３６の充電状態に基づいて表示部６４により発光ダイオードを点灯および消灯させて使用者等、外部に二次電池３６の充電状態にかかる情報を報知することができる。
【００６４】
また、電池パック３３および携帯電話１は、二次電池３６の充電状態にかかる情報を非接触伝送方式で行い、かつ二次電池３６の充電状態にかかる情報を携帯電話１に通知するための手段をその外部に露出するように設けることがない。したがって、第２実施形態の効果（２）および（４）に準じた効果を奏することができる。
【００６５】
（第５実施形態）
図７を参照して、本発明の第５実施形態について説明する。本実施形態では、第１実施形態と比較して異なる部分について詳細に説明するとともに、同一構成には同一符号を付してその説明を省略する。
【００６６】
第１実施形態では、電池パック３３の送電部３７の送信端子３７Ｂと携帯電話１の受電部３８の受信端子３８Ｂとの間を電気信号によって二次電池３６の充電状態にかかる情報を通信する構成である。これに対して、本実施形態は、電池パック３３の二次電池３６に供給するための電流の一部を携帯電話１に供給することにより制御回路６３が二次電池３６の充電のための電流情報を把握するようにしている。
【００６７】
携帯電話１には、上記電流情報を把握するための電流検出回路９０が設けられている。電流検出回路９０は、整流回路５１と、充電制御回路５２および二次電池３６の電力供給線Ｌとにそれぞれ接続されている。具体的には、電池パック３３には、整流回路５１と電気的に接続される電流入力端子３９Ａと、電力供給線Ｌと電気的に接続される電流出力端子３９Ｂとが設けられている。携帯電話１には、電流入力端子３９Ａと電気的に接続するための第１の接続端子９１と、電流出力端子３９Ｂと電気的に接続するための第２の接続端子９２とが設けられている。また、電流検出回路９０は、制御回路６３と電気的に接続されている。
【００６８】
充電装置２により二次電池３６が充電されるとき、１次側コイル１１の交番磁束により発生した２次側コイル４０の誘導電流は、整流回路５１により直流電流に変換される。この整流回路５１の直流電流は、充電制御回路５２と、電流入力端子３９Ａおよび第１の接続端子９１を介して電流検出回路９０とに供給される。
【００６９】
電流検出回路９０は、検流抵抗（不図示）を備えており、整流回路５１から供給された直流電流の電流値を検出している。この検出された電流値は、電圧信号として電流検出回路９０から制御回路６３に送信される。制御回路６３は、電流検出回路９０からの電圧信号を受信したことに基づいて表示部６４の発光ダイオードを点灯させる。一方、制御回路６３は、上記電圧信号を受信しなかったことに基づいて発光ダイオードを消灯させる。
【００７０】
また、電流検出回路９０に供給された直流電流は、第２の接続端子９２および電流出力端子３９Ｂを介して電力供給線Ｌに供給される。そして、電力供給線Ｌから二次電池３６に上記直流電流は供給される。なお、電流入力端子３９Ａおよび電流出力端子３９Ｂと、第１の接続端子９１および第２の接続端子９２とは、「通知部」として機能する。また、電流入力端子３９Ａおよび電流出力端子３９Ｂが「第１の端子」に相当し、第１の接続端子９１および第２の接続端子９２が「第２の端子」に相当する。
【００７１】
本実施形態によれば、以下の効果を奏することができる。
（１）本実施形態では、電池パック３３には、二次電池３６の充電状態を制御回路６３に通知するための電流入力端子３９Ａおよび電流出力端子３９Ｂがそれぞれ設けられている。したがって、携帯電話１の第１の接続端子９１および第２の接続端子９２と電流入力端子３９Ａおよび電流出力端子３９Ｂとがそれぞれ電気的に接続されることにより、携帯電話１は、二次電池３６の充電状態を把握することができる。このため、携帯電話１においては、二次電池３６の充電状態に基づいて表示部６４により発光ダイオードを点灯および消灯させて使用者等、外部に二次電池３６の充電状態にかかる情報を報知することができる。
【００７２】
（その他の実施形態）
本発明の非接触充電式の電気機器およびその充電システムの具体的な構成は、上記各実施形態の内容に限定されるものではなく、例えば以下の変更が可能である。また、以下の変形例は、上記各実施形態についてのみ適用されるものではなく、異なる変形例同士を互いに組み合わせて実施することもできる。
【００７３】
・上記各実施形態において、二次電池３６の充電状態にかかる情報として、二次電池３６の充電度合を示す情報であってもよい。この二次電池３６の充電度合は、充電制御回路５２が二次電池３６の電流および電圧に基づいて検出する。この場合、二次電池３６の充電度合に応じて表示部６４の発光ダイオードの発光色を変更することにより使用者に二次電池３６の充電度合を報知することができる。
【００７４】
・上記各実施形態において、非接触充電式の電気機器として、携帯電話１に代えて、携帯ゲーム機、電動歯ブラシ、デジタルカメラ、腕時計、コードレス電話機、電気かみそり、ノートパソコン等であってもよい。
【符号の説明】
【００７５】
１…携帯電話（非接触充電式の電気機器）、２…充電装置、１１…１次側コイル（送信コイル）、３３…電池パック（非接触充電式電池パック）、３５…非接触充電用モジュール、３６…二次電池、３７Ｂ…送信端子（通知部、第１の端子）、３９Ａ…電流入力端子（通知部、第１の端子）、３９Ｂ…電流出力端子（通知部、第１の端子）、３８Ｂ…受信端子（通知部、第２の端子）、４０…２次側コイル（通知部、送信コイル）、６１…検出コイル（通知部、受信コイル）、７２…伝送コイル（通知部、送信コイル）、８１…発光素子（通知部）、８２…受光素子（通知部）、９１…第１の接続端子（通知部、第２の端子）、９２…第２の接続端子（通知部、第２の端子）。
【図１】
2012070566.tif 000003
【図２】
2012070566.tif 000004
【図３】
2012070566.tif 000005
【図４】
2012070566.tif 000006
【図５】
2012070566.tif 000007
【図６】
2012070566.tif 000008
【図７】
2012070566.tif 000009
【図８】
2012070566.tif 000010